(57)【特許請求の範囲】
【請求項１】
上面及び下面を連設する側面に折曲部が形成されて側面が折り畳まれた通液性及び可撓性を有した袋体と、
この袋体の上面又は下面に一端が固着され、他端が袋体の上面又は下面に剥離可能に係着された少なくとも一の吊り糸とを備えており、
前記吊り糸の中間部分は、袋体の側面の前記折り畳み部分に沿うように折り畳み部分に折り込まれながら袋体の外面に巻回されていることを特徴とする包装体。
【請求項２】
前記側面が上面及び下面の面内の方向に折り畳まれていることを特徴とする請求項１記載の包装体。
【請求項３】
前記側面が上面及び下面の面外の方向に折り畳まれていることを特徴とする請求項１記載の包装体。
【請求項４】
前記袋体の上面及び下面が多角形の外形々状に形成されていることを特徴とする請求項１〜３のいずれか１項記載の包装体。
【請求項５】
前記袋体の上面及び下面が曲線状のコーナー部を有した多角形の外形々状に形成されていることを特徴とする請求項１〜３のいずれか１項記載の包装体。
【請求項６】
前記袋体の上面及び下面が曲線からなる外形々状に形成されていることを特徴とする請求項１〜３のいずれかに記載の包装体。
【発明の詳細な説明】
【０００１】
【発明の属する技術分野】
本発明は、緑茶、紅茶、ウーロン茶等の茶葉やコーヒー粉等の嗜好用加工品の粉、鰹節の削り粉や煮干し等のだし原料、その他の抽出用原料が封入された包装体に関する。
【０００２】
【従来の技術】
上述のような抽出用原料（以下、内容物と記する）からの抽出を行う包装体としては、内容物を収納する袋体を四角形で、且つ、扁平とし、この袋体を垂直状に吊り下げるティーバッグが多用されている。これに対し、特開平１−９９９７５号公報及び特開平３−９８８７０号公報には、抽出効率を向上させる包装体が記載されている。
【０００３】
図１７及び図１８は特開平１−９９９７５号公報に記載された包装体１００を示し、四角形に裁断された２枚の包材の周囲をシールすることにより扁平状に成形された袋体１１０と、袋体１１０に取り付けられた吊り糸１２０とを備えている。吊り糸１２０は一端１３０が袋体１１０の一方の面の中央部分に固着されて他端が他方の面まで巻回されている。この吊り糸１２０の他端には、紙片等からなるタグ１４０が取り付けられており、この紙片１４０が袋体１１０の他方の面に軽く接着されている。
【０００４】
使用時には、図１８に示すように、タグ１４０を袋体１１０から剥離し、吊り糸１２０によって袋体１１０を水平状に吊り下げ、袋体１１０に対して湯を注ぐ。注がれた湯は内容物からの抽出を行い、下方の容器１５０に落下する。このとき、袋体１１０の下側の面が垂れ下がるため、湯と内容物との接触度合いが多くなり、良好な抽出を行うことができる。
【０００５】
図１９〜図２０は、特開平３−９８８７０号公報に記載された包装体２００を示す。この包装体２００はテトラ状に成形された袋体２１０と、袋体２１０に取り付けられた吊り糸２２０とからなり、吊り糸２２０はその一端が、袋体２１０の一の頂点又は、一の面の略中央部分に固着されている。２３０は吊り糸２２０の他端に取り付けられたタグである。
【０００６】
図１９はこの包装体２００を外袋（図示省略）内に収納する形態を示し、テトラ状の袋体２１０が適宜、折り畳まれ、この折り畳み状態に対して、吊り糸２２０を巻回する。そして、タグ２３０を袋体２１０の外面に軽く接着することにより、吊り糸２２０が袋体２１０の折り畳み状態を保持し、外袋内への投入が行われる。
【０００７】
抽出時においては、図２０及び図２１に示すように、タグ２３０を把持し、吊り糸２２０によって袋体２１０を吊り下げ、容器１５０内の湯に浸漬する。図２０は袋体２１０の一頂点に吊り糸２２０の一端が固着された場合であり、三角形状の面が下側に位置している。図２１は袋体２１０の一の面に吊り糸２２０の一端が固着された場合であり、一頂点が下側に位置している。これらのいずれの場合も、袋体２１０がテトラ状のため、内部空間が広くなって、内容物と湯との接触度合いが多くなり、良好な抽出を行うことができる。
【０００８】
【発明が解決しようとする課題】
図１７及び図１８に示す従来の包装体１００は、袋体１１０が扁平のため、外袋内への収納を円滑に行うことができる。しかしながら、この包装体１００は、袋体１１０が上下の２面によって形成されているため、袋体１１０内の空間が狭くなっている。このため袋体１１０内への内容物の充填量に限界があると共に、内容箱が袋体１１０内で移動できる量が充分ではなく、抽出時に内容物と湯の接触が不充分となる。これらにより、この包装体１００は依然として、充分な抽出ができない問題を有している。
【０００９】
図１９〜図２１に示す従来の包装体２００は、袋体２１０がテトラ状空間であり、広い空間のため、充分な量の内容物を充填することができる。ところが、この包装体２００は、折り畳み状態が嵩張っているため、外袋と引っ掛かり易く、外袋内への収納が難しい問題がある。又、折り畳み状態では図１９に示すように、吊り糸２２０によって単に丸められた不規則な外形となっている。このため外観が劣化し、外袋からの取り出し時に見苦しく、商品価値が低下している。
【００１０】
さらに、従来の包装体１００、２００はいずれも、吊り糸１２０、２２０が袋体１１０、２１０の外面に巻回されているため、吊り糸１２０，２２０が袋体１１０、２１０の外形寸法に応じた長さとなり、充分に長くすることができない。このため抽出時に吊り糸１２０、２２０が容器１５０内に落ち込み易い不都合を有している。この場合、吊り糸を袋体に２重、３重に巻回して充分な長さを確保することが考えられるが、包装体としての外観が劣化するばかりでなく、外袋への収納時に吊り糸が外袋と引っ掛かり易く、さらには包装体の製造ラインで２重、３重に巻回することが難しく、実用的ではない。
【００１１】
本発明はこのような従来の問題点を考慮してなされたものであり、充分量の内容物を充填できると共に、内容物からの抽出効率も良好であり、しかも嵩張ることなく外袋への収納を円滑に行うことができ、さらには外観も向上した包装体を提供することを目的とする。
【００１２】
又、本発明はこれに加えて、吊り糸の長さを充分に確保できる包装体を提供することを目的とする。
【００１８】
【課題を解決するための手段】
上記目的を達成するため、本発明の包装体は、上面及び下面を連設する側面に折曲部が形成されて側面が折り畳まれた通液性及び可撓性を有した袋体と、この袋体の上面又は下面に一端が固着され、他端が袋体の上面又は下面に剥離可能に係着された少なくとも一の吊り糸とを備えており、前記吊り糸の中間部分は、袋体の側面の前記折り畳み部分に沿うように折り畳み部分に折り込まれながら袋体の外面に巻回されていることを特徴とする。
【００１９】
この構造では、吊り糸が袋体の側面の折曲部に沿って袋体に巻回されている。すなわち、吊り糸は袋体の上面及び下面のみならず、袋体の側面の折り畳み部分に沿って巻回されるものである。このため吊り糸の全長が長くなり、吊り下げ時に容器内に落ち込むことがなくなると共に、袋体に２重、３重に対して巻回する必要がなくなる。
【００２０】
以上の包装体においては、側面を袋体の上面及び下面の面内の方向に折り畳んでも良く、上面及び下面の面外の方向に折り畳んでも良い。
【００２１】
又、袋体の上面及び下面を多角形としても良く、曲線状のコーナー部を有した多角形としても良く、さらには曲線で囲まれた外形々状としても良い。後者二つの形状とすることにより、袋体内での内容物の引っ掛かりがなくなり、滞留することがないため、内容物が袋体内で円滑に移動し、抽出効率が向上する。
【００２２】
【発明の実施の形態】
図１〜図５は本発明の第１の実施形態を示す。この包装体１は袋体２と、袋体２内に封入された内容物３（図３参照）とを有している。
【００２３】
袋体２は液体が通過可能な通液性及び折り畳みや展開が可能な可撓性を有した材質の包材が使用される。この通液性及び可撓性を有した包材としては、合成樹脂糸編成の網目体、不織布、ナイロン紗、その他のものを選択できる。この包材は長尺なシート状で供給され、折り込み、シール、切断することにより、図示の形状に成形される。
【００２４】
袋体２は図３に示すように、上面４及び下面５が対向すると共に、上面４及び下面５を左右の側面６、６によって連設することによって形成されている。この実施形態では、上面４及び下面５が横長の六角形状に成形されており、左右の側面６、６はこの上面４及び下面５を袋体２の長さ方向で連設している。すなわち、図１及び図２に示すように、袋体２の長さ方向の両端部２ａ、２ｂにおいては、上面４、下面５及び側面６が一体となっているが、この両端部２ａ、２ｂの間では、側面６が上面４及び下面５の面内の方向に折り込まれた状態となっている。
【００２５】
図１〜図３において、７は側面６を折り込むための折曲部である。この折曲部７は各側面６のそれぞれの略中央部分に位置すると共に、袋体２の長さ方向に沿って直線状に形成されている。左右の側面６はかかる折曲部７を境として上下に折り畳まれる。１５は側面６に形成された折り畳み部である。このような折り畳みによって、上面４及び下面５が側面６を介して重なり合い、これにより袋体２が薄い扁平状となることができる。
【００２６】
このような包装体１は、内容物３の酸化や香りの揮散を防止するため、ガスバリヤ性の外袋８（図１参照）内に収納され、外気と遮断される。この外袋８内への収納は、図１に示すように、側面６が折り畳まれた状態で行われる。かかる側面６の折り畳み状態では、袋体２の全体が扁平となって、嵩張っていないため、外袋８との引っ掛かりがなくなり、外袋８への収納を円滑に行うことができる。
【００２７】
又、側面６の折り畳み状態では、上面４及び下面５が完全に重なり合った整った形状となっている。このため袋体１の外観が向上しており、外袋８を開封して取り出したときの興趣性が向上し、商品価値も増大する。
【００２８】
図４は、この実施形態の抽出状態を示す。コップ等の容器９に、折り畳み状態の袋体２を投入して湯１０を注ぐか、あるいは湯１０が入っている容器９に折り畳み状態の袋体２を投下する。これらの操作によって袋体２内に湯が侵入して、内部の内容物３に吸収され、内容物３が膨潤する。この膨潤した内容物３の重量及び袋体２が湯と接触することによる包材の熱膨張や弛みの相互作用あるいは一方の作用によって、折り畳み状態から側面６が伸び、上面４及び下面５が相互に離反した展開状態となる。
【００２９】
かかる展開状態では、袋体２の内部が広い空間となり、この空間内で内容物３が湯と接触するため、抽出効率が良く、短時間で抽出することができる。また、このことは展開によって広くなる空間に内容物を予め、充填することであり、これにより袋体２への内容物の充填量を増大させることができ、充分な量の内容物の充填が可能となる。ここで、内容物３としては、緑茶、紅茶、ウーロン茶等の茶葉やコーヒー粉、削り節、だし昆布、煮干し等の原料、煎じ薬等の医薬品、その他の抽出用原料が使用されるものである。
【００３０】
以上の抽出時には、スプーン等によって湯１０を攪拌することもなされ、これにより、攪拌流が容器９内に発生する。この実施形態では、上述のように袋体２の内部空間が広がっているため、この広い内部空間内を内容物３が自由に移動できる。このため、内容物３と湯との接触度合が増え、抽出効率がさらに向上する。
【００３１】
図５は攪拌流が及ぼす作用を示す。この実施形態では、袋体２が横長六角の多角形となっており、それぞれのコーナー部１１が９０度を超えた鈍角となっている。このためコーナー部１１が内容物の移動を遮ることがなく、内容物３がコーナー部１１に引っ掛かかたり、コーナー部１１で停滞することなく、攪拌流１２と共に、袋体２内を円滑に、回り運動することができる。従って、攪拌による抽出効率を、さらに確実に向上させることができる。
【００３２】
図６〜図８は本発明の第２の実施形態を示す。この実施形態において、袋体２は第１の実施形態と同様に、横長六角形の上面４及び下面５と、これらを連設する側面６とを有している。又、側面６には折曲部７が形成されることにより、上面４及び下面５の面内の方向に折り畳まれており、第１の実施形態と同様な作用を有している。
【００３３】
この実施形態では、これらに加えて、吊り糸２０が配置されている。吊り糸２０は、その一端２１が超音波溶着、熱溶着等によって袋体２の上面４の略中央部分に固着されている。
【００３４】
この吊り糸２０の他端には、紙片、プラスチック片等からなるタグ２２が取り付けられており、このタグ２２が袋体２の上面４に剥離可能に係着されている。かかる係着は、タグ２２の下面にホットメルト接着剤を塗布し、このホットメルト接着剤を感熱させて接着力を発現させることにより行うことができるが、他の手段であっても良い。
【００３５】
これらの固定端２１及びタグ２２の間における吊り糸２０の中間部分は、袋体２の外面に巻回されるが、単に外周部分に巻回されるだけでなく、側面６の折り畳み部分に沿って巻回されるものである。図６及び図７は、この吊り糸２０の巻回状態を示す。袋体２の側面６は、折曲部７を介して上面４及び下面５の面内の方向に折り畳まれた折り畳み部１５を有している。一端２１が袋体２の上面４の略中央部分に固着された吊り糸２０は、上面４に沿った後、片側（図７において右側）の側面６の折り畳み部１５に沿って配置され、さらに、下面５に沿って伸びている。吊り糸２０は、この下面５の終端から、他側（図７において左側）の側面の折り畳み部１５に沿った後、上面４に回り込み、他端のタグ２２が上面４に係着されている。
【００３６】
このように、吊り糸２０が袋体２の上面４及び下面５のみならず、側面６の折り畳み部１５に沿って配置された構造では、袋体の外面に単に巻回された場合と比べて、折り畳み部１５に相当した分だけ、長くなる。従って、吊り糸２０を充分に長くでき、抽出時に容器９内に落ち込むことがなく、振盪等の抽出操作を確実に行うことができる。又、このように長くした場合であっても、吊り糸２０が折り畳み部１５に沿っているため、袋体２から離れることがないコンパクトの状態となっている。このため、外袋への収納の際に、吊り糸２０が外袋に絡むことがなく、円滑な収納ができると共に、吊り糸２０の冗長感がなく、まとまりのあるデザインとすることができる。
【００３７】
図８はこの実施形態の抽出状態を示す。タグ２２を袋体２から引き剥がして、袋体２を吊り下げ、容器９内の湯１０に浸漬するか、湯を袋体２に注ぐ。これにより、袋体２内の内容物３が膨潤するため、その重量が大きくなり、折り畳まれている側面６が伸びて、袋体２が立体的に膨張し、袋体２の内部空間が広がる。従って、第１の実施の形態と同様に、内容物３と湯１０との接触度合いが多くなると共に、袋体２内での内容物の移動が円滑となり、抽出効率が向上する。
【００３８】
図９及び図１０は袋体２を吊り下げる吊り下げ用部材の各例を示す。図９においては、プラスチック棒等の硬質のステッィク２５を使用するものであり、スティック２５の一端２６が袋体２の上面４の略中央部分に固着されている。この硬質のスティック２６を使用することにより、袋体２とスティック２６とが強く連結され、振盪を袋体２に直かに伝達することができる。このため、袋体２の振盪を効率良く行うことができるメリットがある。
【００３９】
図１０は、タグ２２を有した２本の吊り糸２０を袋体２に取り付けたものであり、２本の吊り糸のため、袋体２を安定、且つ確実に吊り下げることができる。従って、内容物を多く充填した大容量の袋体２に使用することにより、その吊り下げ及び振盪を無理なく行うことができる。なお、吊り糸２０を１本とし、その両端を袋体２に固着しても、図１０と同様に作用することができ、吊り糸２０を３本以上、取り付けても良い。
【００４０】
図１１は、袋体２の折り畳みの別例を示す。袋体２の上面４及びと下面５が正方形又は長方形からなる四角形となっており、この上面４及び下面５の左右両側が側面６によって連設されている。各側面６は折曲部７を有しており、折曲部７によって二つ折りに折り畳まれている。この折り畳みは上面４及び下面５が重なるようになされるが、側面６はこれらが重なり合う面よりも外方の方向に向かって折り畳まれている。
【００４１】
すなわち、この折り畳みは側面６がフラップ状となって上面４及び下面５の面外の方向に突出するようになっている。このように面外の方向に折り畳まれた場合でも、折り畳み時の袋体２の幅が広くなるだけであって、嵩張ることのない薄い扁平状であり、しかも整った外形とすることができ、外袋への収納の邪魔となることがない。また、抽出時においては、折り畳まれている側面６が円滑に伸びるため、袋体２内の空間が大きくなり、抽出効率を増大させることができる。
【００４２】
図１２〜図１６は袋体２の平面形状、すなわち上面４（又は下面５）の、さらに別の変形例をそれぞれ示す。なお、これらの場合にも、上述と同様に上面４と及び下面５は折り畳み状の側面６によって連設されるものである。
図１２及び図１３は袋体２の上面４（及び下面５）が四角形となっているが、４隅のコーナー部３０が曲線によって切除された形状となっている。より具体的には、図１２では、上面４の外側からの円弧によって切除された内側弧状の曲線となっており、図１３では、上面４の内側からの円弧によって切除された外側弧状の曲線となっている。このように、コーナー部３０を曲線状とすることにより、袋体２の内の内容物３がコーナー部３０に引っ掛かって停滞することなく、円滑に移動することができる。このため、内容物３との接触度合いが多くなり、抽出効率を増大させることができる。
【００４３】
図１４は袋体２の上面４が円形となっており、図１５は円形が連設されたダルマ形となっている。又、図１６は上面４が長円となってる。これらの形状は、上面４が曲線で囲まれた外形となるものであり、袋体２内の内容物３が引っ掛かることなく、円滑に移動できる。このため、これらの形状によっても、抽出効率を増大させることができる。
【００４４】
以上の実施形態では、側面６を折り畳むための折曲部７を１本としたが、各側面に２本以上形成して、側面６を蛇腹状に折り畳んでも良い。
【００４５】
【発明の効果】
本発明は、袋体の上面及び下面を側面によって連設すると共に、側面に折曲部を形成して袋体を折り畳み状態とするため、袋体が扁平となって嵩張ることがなく、外袋への収納を円滑に行うことができると共に、整った外形となって外観が向上する。又、袋体の収容々積を大きくできるため、内容物の充填量を増加させることができる。さらには、内容物が袋体内で円滑に移動でき、抽出効率が向上する。
【００４６】
本発明では、上述した袋体に吊り下げ用部材を取り付けることにより、袋体を吊り下げることができる。このため抽出操作を簡単に行うことができる。
さらに、本発明では、側面の折り畳み部分に沿って吊り糸を袋体の外面に巻回することにより、吊り糸を充分に長くでき、抽出時に吊り糸が容器内に落ち込むことがなくなる。
【図面の簡単な説明】
【図１】本発明の第１の実施形態の折り畳み状態の斜視図である。
【図２】第１の実施形態の展開途中の斜視図である。
【図３】第１の実施形態の折り畳み状態の断面図である。
【図４】第１の実施形態の抽出状態の斜視図である。
【図５】第１の実施形態の内容物移動を示す平面図である。
【図６】本発明の第２の実施形態の折り畳み状態の斜視図である。
【図７】第２の実施形態の折り畳み状態の断面図である。
【図８】第２の実施形態の抽出状態の斜視図である。
【図９】吊り下げ用部材を取り付けた袋体の一例の斜視図である。
【図１０】吊り糸を複数設けた袋体の斜視図てある。
【図１１】袋体の折り畳みの別例を示す斜視図である。
【図１２】袋体の平面形状の別例の平面図である。
【図１３】袋体の平面形状の別例の平面図である。
【図１４】袋体の平面形状の別例の平面図である。
【図１５】袋体の平面形状の別例の平面図である。
【図１６】袋体の平面形状の別例の平面図である。
【図１７】従来の包装体の平面図である。
【図１８】従来の包装体の抽出状態の斜視図である。
【図１９】別の従来の包装体の斜視図である。
【図２０】別の従来の包装体の抽出状態の斜視図である。
【図２１】別の従来の包装体の他の抽出状態の斜視図である。
【符号の説明】
１  包装体
２  袋体
３  内容物
４  上面
５  下面
６  側面
７  折曲部
１５  折り畳み部
【図１】
0003956019.tif 000002
【図２】
0003956019.tif 000003
【図３】
0003956019.tif 000004
【図５】
0003956019.tif 000005
【図４】
0003956019.tif 000006
【図６】
0003956019.tif 000007
【図７】
0003956019.tif 000008
【図８】
0003956019.tif 000009
【図９】
0003956019.tif 000010
【図１０】
0003956019.tif 000011
【図１１】
0003956019.tif 000012
【図１２】
0003956019.tif 000013
【図１３】
0003956019.tif 000014
【図１４】
0003956019.tif 000015
【図１５】
0003956019.tif 000016
【図１６】
0003956019.tif 000017
【図１７】
0003956019.tif 000018
【図１８】
0003956019.tif 000019
【図１９】
0003956019.tif 000020
【図２０】
0003956019.tif 000021
【図２１】
0003956019.tif 000022